(57)【要約】【課題】躯体コンクリートに打ち込んで取り付ける作業を容易に行える経済性にも優れた躯体コンクリート打込み用係止金物を提供する。【解決手段】前面が開口した箱体１の内部に、シャックルＣを取り付けることが可能な形状に曲げ加工された係止作用部２を箱体１の開口端から突出しない状態に配設し、当該係止作用部２には躯体コンクリートに対する定着用軸部３を前記箱体１の相対向する側面を貫通した状態に延設して躯体コンクリート打込み用係止金物Ａを構成する。そして、この係止金物Ａを型枠内面に箱体１の開口端が密着した状態に釘止めした状態で、躯体コンクリートＥを打設することによって、係止金物Ａを躯体コンクリートＥに取り付けるようにする。【選択図】図１
2007321457.tif 000002
【特許請求の範囲】
【請求項１】
前面が開口した箱体の内部に、シャックルを取り付けることが可能な形状の係止作用部が箱体の開口端から突出しない状態に配設され、当該係止作用部には躯体コンクリートに対する定着用軸部が前記箱体を貫通した状態に延設されて成る躯体コンクリート打込み用係止金物。
【請求項２】
係止作用部と定着用軸部が曲げ加工された１本の鋼棒によって構成されている請求項１記載の躯体コンクリート打込み用係止金物。
【請求項３】
箱体が半球状である請求項１又は２に記載の躯体コンクリート打込み用係止金物。
【請求項４】
箱体が方形状である請求項１又は２に記載の躯体コンクリート打込み用係止金物。
【請求項５】
箱体の開口端に釘孔付きのフランジが形成されている請求項１〜４の何れかに記載の躯体コンクリート打込み用係止金物。
【請求項６】
前面が開口した箱体の内部に、シャックルを取り付けることが可能な形状の係止作用部が箱体の開口端から突出しない状態に配設され、当該係止作用部には躯体コンクリートに対する定着用軸部が前記箱体を貫通した状態に延設されて成る躯体コンクリート打込み用係止金物を躯体コンクリート用型枠の内面に箱体の開口端が型枠内面と密着した状態に固定し、型枠内に打設した躯体コンクリートの硬化後、型枠を解体撤去することにより、箱体が躯体コンクリートの表面に開口し、箱体内部に係止作用部が位置し、定着用軸部が躯体コンクリートの内部に位置する状態に、係止金物を躯体コンクリートに取り付けることを特徴とする躯体コンクリート打込み用係止金物の取付け方法。
【発明の詳細な説明】
【技術分野】
【０００１】
本発明は、例えば、建物の屋上パラペットに打ち込まれる屋上吊り環やエレベータシャフトの天井部分の小梁に打ち込まれるエレベータ工事用のエレベータフックのように、躯体コンクリートに打ち込んで取り付ける躯体コンクリート打込み用係止金物と、その取付け方法に関するものである。
【背景技術】
【０００２】
従来、屋上パラペットにメンテナンス用ゴンドラなどを吊り下げるための躯体コンクリート打込み用係止金物としては、図１０に示すように、屋上パラペットＢのアゴ部９に埋設されるフラットバーａと、その内端部の横孔ｂに挿通される定着力増強用の鉄筋ｃと、フラットバーａの外端部（突出端部）の横孔ｄに挿通して保持させたリング状金物ｅとから成る屋上吊り環Ａ１が用いられていた。
【０００３】
そして、この屋上吊り環Ａ１を屋上パラペットＢのアゴ部９に取り付けるにあたっては、パラペット用型枠及びパラペット用鉄筋８の組立作業終了後、パラペット用型枠の所定位置を切り欠いて、フラットバーａの断面形状に対応する矩形の孔を形成し、フラットバーａを外側から型枠の孔に所定深さまで押し込み、しかる後、フラットバーａの内端部の横孔ｂに鉄筋ｃを挿入し、当該鉄筋ｃを、パラペット用鉄筋８に結束する等して、フラットバーａを所定位置に固定し、この状態で、型枠内にパラペット用コンクリートを打設し、コンクリートの硬化後、型枠を孔（フラットバーａ）の位置で左右に分離して、脱型するといった面倒な作業を必要とした。１０は、脱型後にパラペット内側面に施工された立上がり防水層である。
【０００４】
また、エレベータシャフトの天井部分の小梁に打ち込まれるエレベータ工事用のエレベータフックＡ２としての躯体コンクリート打込み用係止金物は、図１１に示すように、鉄筋ｆを略Ｖ字状に曲げ加工したものが使用されていた。略Ｖ字状に曲げ加工された鉄筋ｆは、吊り下げる荷重に応じて、図１２（Ａ），（Ｂ）に示すように、１本で使用されたり、２本合せにして使用される。
【０００５】
そして、このエレベータフック（躯体コンクリート打込み用係止金物）Ａ２をエレベータシャフトにおける天井部分の小梁Ｆに取り付けるにあたっては、型枠・鉄筋の組立作業終了後、小梁用型枠の所定位置にエレベータフックＡ２に対応する形状の孔を切欠き形成し、エレベータフックＡ２の中央屈曲部（シャックルを取り付けることが可能な係止作用部）を型枠の孔に上方から押し込み、上部側のＶ字状鉄筋部分を小梁用鉄筋に結束する等してエレベータフックＡ２を固定し、エレベータフックＡ２の中央屈曲部間の余分な隙間をガムテープ等で閉塞した後、型枠上にコンクリートを打設し、コンクリートの硬化後、型枠を孔（フック貫通部）の位置で左右に分離して、脱型するといった面倒な作業を必要とした。
【０００６】
このように、屋上吊り環Ａ１のフラットバーａやエレベータフックＡ２の中央屈曲部を型枠の孔に差し込む作業は、型枠・鉄筋の組立作業の終了後、行われるので、相当無理な作業となり、多大の手間を要した。しかも、型枠解体の際、型枠用コンパネを孔の位置で無理やり千切り取るので、再利用できない廃材が発生し、解体作業にも手間を要した。また、型枠を解体しやすいように、予め、型枠を孔の位置で分割できるように組み立てておくと型枠の継ぎ目がコンクリートの表面に残り、綺麗な仕上がりとならない。
【０００７】
尚、特許文献１には、屋上吊り環を図１０のようなアゴ部９のない屋上パラペットに、
立上がり防水層を貫通する状態に取り付ける取付け構造が記載されている。これは、ゴンドラ側のロープなどを引っ掛けるリング状金物に雄ネジ部を形成しておく一方、屋上パラペットのコンクリートに埋め込まれるアンカー（定着用軸体部）の先端に雌ネジ部を形成しておき、アンカーの埋め込み、立上がり防水層の施工が完了した後、リング状金物の雄ネジ部をアンカーの雌ネジ部にねじ込んで取り付けるようにしたものであって、次の問題点がある。
【０００８】
即ち、屋上吊り環が、アンカーボルトと、それに半分ほどねじ込んで溶接した雌ネジ部用長ナット、長ナットに溶接したフランジ（防水層のねじ挿通孔周辺部の背面に密着して水密性を確保する鍔部）、リング状金物と、それに溶接した雄ネジ部用ボルト、防水層のねじ挿通孔周辺部の表面を押圧する押さえ板といった数多くの部品によって構成されるので、コストが嵩み、しかも、屋上吊り環の取付け作業の工程が、パラペット用コンクリートの打設前と、脱型後に行われる立上がり防水層の施工後とに跨るため、屋上吊り環の取付けに長期間を要し、全体として、非常に不経済である。また、アンカーの雌ネジ部にねじ込み固定したリング状金物の雄ネジ部が回転するとネジ嵌合が緩むことになり、屋上吊り環の取付け強度に不安がある。
【０００９】
【特許文献１】実開平７−２６４５０号公報
【発明の開示】
【発明が解決しようとする課題】
【００１０】
上記の現状に鑑み、本発明は、上述した従来技術の問題点をふまえてなされたものであって、躯体コンクリートに打ち込んで取り付ける作業を容易に行える経済性にも優れた躯体コンクリート打込み用係止金物を提供することを課題とする。
【課題を解決するための手段】
【００１１】
上記の課題を解決するために、本発明が講じた技術的手段は、次の通りである。即ち、請求項１に記載の発明では、前面が開口した箱体の内部に、シャックルを取り付けることが可能な形状の係止作用部が箱体の開口端から突出しない状態に配設され、当該係止作用部には躯体コンクリートに対する定着用軸部が前記箱体を貫通した状態に延設されて成る躯体コンクリート打込み用係止金物が提供される。
【００１２】
請求項１に記載の発明において、係止作用部の形状、構造は、必要に応じて任意に設計できるが、請求項２に記載の発明のように、係止作用部と定着用軸部が曲げ加工された１本の鋼棒によって構成されていることが望ましい。
【００１３】
また、請求項１に記載の発明において、箱体の形状は、必要に応じて任意に設計できるが、屋上パラペットにメンテナンス用ゴンドラなどを吊り下げるための躯体コンクリート打込み用係止金物のように垂直なコンクリート面に埋設される躯体コンクリート打込み用係止金物としては、請求項３に記載の発明のように、箱体を半球状に形成することが望ましく、エレベータ工事用のエレベータフックのように水平なコンクリート下面に埋設される躯体コンクリート打込み用係止金物としては、物請求項４に記載の発明のように、箱体を方形状に形成することが望ましい。何れの場合においても、請求項５に記載のように、箱体の開口端に釘孔付きのフランジを形成することが望ましい。
【００１４】
請求項６に記載の発明は、前面が開口した箱体の内部に、シャックルを取り付けることが可能な形状の係止作用部が箱体の開口端から突出しない状態に配設され、当該係止作用部には躯体コンクリートに対する定着用軸部が前記箱体を貫通した状態に延設されて成る躯体コンクリート打込み用係止金物を躯体コンクリート用型枠の内面に箱体の開口端が型枠内面と密着した状態に固定し、型枠内に打設した躯体コンクリートの硬化後、型枠を解
体撤去することにより、箱体が躯体コンクリートの表面に開口し、箱体内部に係止作用部が位置し、定着用軸部が躯体コンクリートの内部に位置する状態に、係止金物を躯体コンクリートに取り付けることを特徴としている。
【発明の効果】
【００１５】
請求項１に記載の発明による躯体コンクリート打込み用係止金物は、コンクリート表面よりも内側に空間を確保するための箱体と、それに内蔵された係止作用部及び係止作用部に延設された定着用軸部とから成る簡単な構成であり、係止作用部と定着用軸部は、請求項２に記載の発明のように、曲げ加工された１本の鋼棒によって構成できるので、構成部品点数の少ない軽量かつ安価な係止金物を実現できる。
【００１６】
この係止金物を躯体コンクリートに打ち込んで取り付けるにあたっては、請求項６に記載の発明のように、係止作用部の内蔵された箱体を型枠の内面に箱体開口端が密着した状態に固定し、型枠内に打設した躯体コンクリートの硬化後、型枠を解体撤去するだけで済み、型枠に金具挿通用の孔を切欠き形成する手間や孔に金具を差し込む手間が不要であるため、係止金物の取付け作業が容易で、取付け費用を低減でき、しかも、係止金物が型枠を貫通しないので、型枠の解体作業も容易になり、型枠材が廃材にならず、全体として経済的である。型枠内面に対する箱体の固定には、接着等の手段を用いてもよいが、請求項５に記載の発明のように、箱体の開口端に釘孔付きのフランジを形成しておけば、型枠内面に箱体を釘止めといった簡単な手段によって行うことができる。
【００１７】
請求項３に記載の発明によれば、箱体を半球状に形成したので、屋上パラペットにメンテナンス用ゴンドラなどを吊り下げる屋上吊り環のように、躯体コンクリート打込み用係止金物を垂直なコンクリート面に埋設する場合、打設したコンクリートが箱体の下方に停滞せず、コンクリートの充填を阻害することがない。
【００１８】
請求項４に記載の発明によれば、箱体を方形状に形成したので、容易かつ安価に製造できることになる。また、躯体コンクリート打込み用係止金物を、エレベータ工事用のエレベータフックのように、水平なコンクリート下面に埋設する場合であれば、箱体が方形状であっても、コンクリート打設時、コンクリートの充填が箱体によって阻害される虞がない。
【発明を実施するための最良の形態】
【００１９】
図１、図２は、本発明に係る躯体コンクリート打込み用係止金物Ａの一例を示し、図３、図４は、その取付け方法を示す。図５は、躯体コンクリート打込み用係止金物Ａの使用状態を示す。この躯体コンクリート打込み用係止金物Ａは、メンテナンス用ゴンドラなどを吊り下げるために屋上パラペットＢに打ち込んで取り付けられるもので、前面が開口した半球状の箱体１を有し、箱体１の内部には、図５に示すように、シャックルＣを取り付けることが可能な形状の係止作用部２が箱体１の開口端から突出しない状態に配設され、当該係止作用部２には躯体コンクリートに対する定着用軸部３が前記箱体１の相対向する側面を貫通した状態に延設されている。
【００２０】
係止作用部２と定着用軸部３は、略Ｖ字状に曲げ加工された１本のステンレスの鋼棒で構成されている。箱体１は曲げ加工（プレス加工）されたステンレスの薄板によって構成されており、開口端には、釘孔４付きのフランジ１ａが形成されている。釘孔４は、互いに略１２０度の間隔で３個形成され、開口端の真上位置と、上下中間位置よりも若干低い両側位置とに形成されている。
【００２１】
係止作用部２及び定着用軸部３を構成する鋼棒の太さ、定着用軸部３の長さ等は、必要強度を確保できる範囲で出来るだけ小寸法に設定することが望ましい。箱体１の直径は、
シャックルＣの着脱、反転が可能な空間を確保しつつパラペット用鉄筋５の配置に干渉することがないように、可及的に小さく設定することが望ましい。例えば、従来の屋上吊り環と同じように、１個あたり５００ｋｇの吊下げ強度を確保する場合、鋼棒の太さ、シャックルＣの寸法を考慮すると、箱体１の直径は１２ｃｍ程度に設定することが望ましい。また、図示の例では、定着用軸部３が直線状であるが、先端にフランジ部材を溶接して、コンクリートに対する引抜き抵抗を高めることによって、定着長さを短くすることができる。図示しないが、略Ｖ字状に曲げ加工された鋼棒の両端部を屈曲させてコンクリートに対する引抜き抵抗を高めることにより、定着長さを短くすることも可能である。
【００２２】
上記の躯体コンクリート打込み用係止金物Ａは、図３、図４に示すように、型枠や鉄筋の組立作業の終了後、パラペット用型枠Ｄにおけるアゴ部用型枠６の内面に、箱体１の開口端が型枠６内面と密着した状態に内側から樹脂製釘７で固定される。この場合、釘孔４が開口端の真上位置と、上下中間位置よりも若干低い両側位置とに形成されているので、型枠Ｄの上方からの釘を打つ際、箱体１が邪魔にならず、釘止め作業が容易である。係止金物Ａを型枠内に挿入する際、パラペット用鉄筋８の一部が邪魔になる場合は、図４に仮想線で示すように、その邪魔になる鉄筋８ａだけを、一旦、横方向へ移動し、係止金物Ａの固定後、元位置に復帰させることになる。
【００２３】
この状態で、型枠Ｄ内に躯体コンクリート（パラペット用コンクリート）Ｅを打設するが、箱体１が半球状に形成されているので、箱体１によってコンクリートの充填が阻害されることがない。そして、躯体コンクリートＥの硬化後、型枠Ｄを解体撤去することにより、図５に示すように、箱体１が躯体コンクリート（屋上パラペットＢのアゴ部９のコンクリート）Ｅの表面に開口し、箱体１内部に係止作用部２が位置し、定着用軸部３が躯体コンクリートＥの内部に位置する状態に、係止金物Ａが躯体コンクリートＥに取り付けられることになる。１０は脱型後にパラペット内側面に施工された立上がり防水層である。
【００２４】
図６〜図８は、本発明の他の実施形態を示す。この躯体コンクリート打込み用係止金物Ａは、エレベータシャフトの天井部分の小梁Ｆに打ち込まれるエレベータ工事用のエレベータフックとして構成されたもので、箱体１を方形状に形成した点に特徴がある。即ち、エレベータフックとしての躯体コンクリート打込み用係止金Ａは、図７、図８に示すように、小梁用型枠１１に箱体１を下向きにした状態に取り付けるので、箱体１が方形状であっても、躯体コンクリートＥの打設時、箱体１がコンクリートの充填を妨げる虞がなく、小梁幅方向に対する断面欠損が最小となるように方形状を採用している。
【００２５】
エレベータフックとしての躯体コンクリート打込み用係止金Ａには、屋上パラペットＢにメンテナンス用ゴンドラを吊り下げる場合よりも遥かに大きな吊下げ荷重（最大５トン）に対する強度を必要とするので、係止作用部２及び定着用軸部３を構成する鋼棒の太さ、定着用軸部３の長さ等は、それに対応して大きく設定される。図示のように、定着用軸部３の先端側にフランジ部３ａを溶接してコンクリートに対する引抜き抵抗を増大させることは、定着用軸部３の長さを短くする上で有効である。その他の構成、作用は、図１〜図５の実施形態と同じであるため、同一構成部材に同一符号を付し、説明を省略する。
【００２６】
尚、図１〜図８に示した実施形態では、何れも１本の鋼棒を略Ｖ字状に曲げ加工して、中央湾曲部を係止作用部２に、両端側を定着用軸部３に構成しているが、係止作用部２や定着用軸部３は図示の形状に限定されない。例えば、図９に示すように、鋼棒の中央をリング状に湾曲させて係止作用部２を構成してもよい。
【図面の簡単な説明】
【００２７】
【図１】本発明に係る躯体コンクリート打込み用係止金物の斜視図である。
【図２】上記係止金物の横断平面図である。
【図３】上記係止金物の取付け方法を説明する縦断側面図である。
【図４】上記係止金物の取付け方法を説明する横断平面図である。
【図５】上記係止金物の使用状態を説明する縦断側面図である。
【図６】他の実施形態を示す躯体コンクリート打込み用係止金物の斜視図である。
【図７】上記係止金物の取付け方法を説明する縦断側面図である。
【図８】上記係止金物の使用状態を説明する縦断側面図である。
【図９】他の実施形態を示す躯体コンクリート打込み用係止金物の横断平面図である。
【図１０】従来例を示す縦断側面図である。
【図１１】従来例を示す縦断側面図である。
【図１２】従来例を示す縦断正面図である。
【符号の説明】
【００２８】
Ａ  躯体コンクリート打込み用係止金物
Ｃ  シャックル
１  箱体
１ａ  フランジ
２  係止作用部
３  定着用軸部
４  釘孔
【図１】
2007321457.tif 000003
【図２】
2007321457.tif 000004
【図３】
2007321457.tif 000005
【図４】
2007321457.tif 000006
【図５】
2007321457.tif 000007
【図６】
2007321457.tif 000008
【図７】
2007321457.tif 000009
【図８】
2007321457.tif 000010
【図９】
2007321457.tif 000011
【図１０】
2007321457.tif 000012
【図１１】
2007321457.tif 000013
【図１２】
2007321457.tif 000014